【事件の表示】
　平成　９年特許願第２３０６３７号「画像表示方法及び画像表示装置」拒絶査定に対する審判事件［平成１１年　３月　９日出願公開、特開平１１−　６６２９５］について、次のとおり審決する。
【結　論】
　本件審判の請求は、成り立たない。
【理　由】
１.手続の経緯・本願発明
　本願は、平成９年８月２７日に出願されたものであって、その請求項２に係る発明（以下「本願発明」という）は、平成１１年２月１２日付けで補正された明細書及び図面の記載からみて、特許請求の範囲の請求項２に記載された次のとおりのものである。
「撮影手段と結合しており、該撮影手段により取得された画素値を、値を変更可能な２以上のパラメータに基づいて表示値に変換し、該表示値に基づいて表示手段に画像を表示する画像表示装置であって、前記２以上のパラメータの値の異なる複数の組み合わせをそれぞれタップ値に対応させた複数のタップテーブルであって、前記対応の内容がそれぞれ異なっている複数のタップテーブルと、タップ値の１つを選択するタップ選択手段と、前記撮影手段の撮影条件に応じて選択された前記タップテーブルの１つに含まれたタップ値であって、前記タップ選択手段により選択された前記タップ値に応じて前記２以上のパラメータの値を設定するパラメータ設定手段とを具備したことを特徴とする画像表示装置。」
２．引用刊行物
　これに対して、原査定の拒絶理由で引用した特開昭６２−２７８６７６号公報（昭和６２年１２月３日出願公開。以下「引用例」という。）には、「画像処理表示装置」に関し、図面と共に、
　ア.「Ｘ線ＣＴスキャナ装置等におけるデジタル画像情報を取扱う画像処理表示装置に関し、特にウィンドゥ表示機能の拡充を図った画像処理表示装置」（第１ページ右下欄６行ないし同９行）を産業上の利用分野とすること、
　イ．「特定の濃淡幅と濃淡レベルとにより反映される特定画像が複数存在する画像情報から、ある一つの特定画像を形成してこれを表示するに際し、操作が簡単にして、異なる特定画像を表示することができる画像処理表示装置を提供すること」（第２ページ右上欄１行ないし同６行）を発明の目的とすること、
　ウ．「ファイルＦ１には、頭部、胸部、腹部等の診断部位に応じて設定されたウィンドゥ幅ＷＷ，ウィンドゥレベルＷＬが診断部位毎に３種類（ＨＡＷＷ，ＨＡＷＬ、〜、ＡＣＷＷ，ＡＣＷＬ）が格納されている」（第２ページ左下欄１６行ないし同２０行）こと、
　エ．「第１のコンピュータＣＡは、ウィンドゥ幅ＷＷ，ウィンドゥレベルＷＬを手動にて設定するためのキーボードＫＢと、頭部，胸部，腹部等のスキャン診断部位を設定するためのスキャン部位セレクトスイッチＳＢと信号授受可能に結合されており、スキャン部位セレクトスイッチＳＢのスイッチ動作により、たとえばスキャン部位として胸部がセレクトされると、Ｘ線ＣＴスキャナ装置ＣＴにより図示しない被検体の胸部のＣＴ像が撮影され、この胸部ＣＴ像に相当したたとえば肺を鮮明に表示したい場合はウィンドゥ幅ＢＡＷＷ，ウィンドゥレベルＢＡＷＬ、骨を鮮明に表示したい場合はウィンドゥ幅ＢＢＷＷ，ウィンドゥレベルＢＢＷＬ、その他を鮮明に表示したい場合はウィンドゥ幅ＢＣＷＷ，ウィンドゥレベルＢＣＷＬであるプリセットウィンドゥがファイルＦ１から呼出されて、これが胸部ＣＴ像付加されてファイルＦ２に格納されるようになっている。そして、このプリセットウィンドゥが付加された胸部ＣＴ像は第１のコンピュータＣＡを介して、その胸部ＣＴ像はイメージメモリＩＭに記憶され、またそのプリセットウィンドゥ（ＢＡＷＷ，ＢＡＷＬ、ＢＢＷＷ，ＢＢＷＬ、ＢＣＷＷ，ＢＣＷＬ）はプリセットウィンドゥメモリＰＭに記憶される。この場合、第１のコンピュータＣＡは第２のコンピュータＣＢに対し、この胸部ＣＴ像はたとえばプリセットウィンドゥＡ（ＢＡＷＷ，ＢＡＷＬ）を用いるべき（通常、胸部撮影ならば肺が関心領域であることから）であることを示す情報を与える」（第２ページ右下欄４行ないし第３ページ左上欄１２行）こと、
　オ．「第２のコンピュータＣＢには、３種類のプリセットウィンドゥに対応した点灯型スイッチＡ，Ｂ，Ｃを有したプリセットウィンドゥセレクトボタンＰＢ及び再登録ボタンＭＢが結合されると共に第２のコンピュータＣＢとの間にプリセットウィンドゥメモリが信号授受可能に介在されている。このプリセットウィンドゥメモリＰＭは、プリセットウィンドゥＡ，Ｂ，Ｃ毎に記憶項Ａ，Ｂ，Ｃを備えており、後述するよに、画像表示後にその表示で用いたプリセットウィンドゥをその対応する記憶項に書込むようになっている。また、第２のコンピュータＣＢでは、第１のコンピュータＣＡから与えられた”この胸部ＣＴ像はプリセットウィンドゥＡ（ＢＡＷＷ，ＢＡＷＬ）を用いることを示す情報”に基づきプリセットウィンドゥメモリＰＭからプリセットウィンドゥＡ（ＢＡＷＷ，ＢＡＷＬ）を呼出して、ウィンドゥ変換器ＷＣに与える」（第３ページ左上欄２０行ないし同右上欄１７行）こと、
　カ．「ウィンドゥ変換器ＷＣではイメージメモリＩＭからこの胸部ＣＴ像を呼出して、この胸部ＣＴ像に対してプリセットウィンドゥＡ（ＢＡＷＷ，ＢＡＷＬ）にてウィンドゥ処理を実行する。（中略）このウィンドゥ変換器ＷＣにおけるウィンドゥ処理により、モニタＭＯにはプリセットウィンドゥＡ（ＢＡＷＷ、ＢＡＷＬ）に基づく胸部ＣＴ像、すなわち、肺が鮮明に表示されたＣＴ像が表示されることになる」（第３ページ右上欄１７行ないし同左下欄９行）こと、
　キ．「上記において、プリセットウィンドゥセレクトボタンＰＢの操作により、この胸部ＣＴ像に対して上記プリセットウィンドゥＡ（ＢＡＷＷ，ＢＡＷＬ）以外のプリセットウィンドゥ（Ｂ又はＣ）を設定することもできる。この場合、プリセットウィンドゥセレクトボタンＰＢの点灯型スイッチＡは消灯し、点灯型スイッチ（Ｂ又はＣ）が点灯する。これにより、ウィンドゥ条件の任意の変更が可能となる」（第３ページ右下欄１行ないし同９行）こと、
　ク．「以上のように本実施例によれば、１つのＣＴ像に対して複数のウィンドゥ条件が設定及び変更が可能であり、また変更後もＣＴ像と共に複数のウィンドゥ条件が保存されることになるので、所望の部位における適切なウィンドゥ条件でのウィンドゥ表示が可能であり且つ同条件での再表示が可能となり、臨床上極めて有利となる」（第４ページ左上欄２０行ないし同右上欄６行）こと、が記載されている。
３．対比   
　そこで、本願発明と引用例に記載された発明とを対比すると、
　(a)引用例に記載された発明におけるＸ線ＣＴスキャナ装置ＣＴは、本願発明における「撮影手段」に相当する。
　(b)引用例に記載された発明における第１のコンピュータＣＡ、第２のコンピュータＣＢ、ウィンドゥ変換器ＷＣ、モニタＭＯ等からなる画像表示手段は、Ｘ線ＣＴスキャナ装置ＣＴ（撮影手段）に接続されており、該Ｘ線ＣＴスキャナ装置ＣＴ（撮影手段）により撮影されたＣＴ像（画素値からなることは技術常識）を第１のコンピュータＣＡを介してイメージメモリＩＭに記憶し（上記エ参照）、前記ウィンドゥ変換器ＷＣは、第２のコンピュータＣＢから与えられるウィンドゥ幅及びウィンドゥレベルからなるプリセットウィンドゥを用いて、前記イメージメモリＩＭから呼出されたＣＴ像に対してウィンドゥ処理を実行し、ウィンドゥ処理後のＣＴ像をモニタＭＯに表示するものであり（上記カ参照）、前記ウィンドウ幅及びウィンドゥレベルからなるプリセットウィンドゥは値が変更可能なパラメータである（上記ウ、エ参照）から、かかる第１のコンピュータＣＡ、第２のコンピュータＣＢ、ウィンドゥ変換器ＷＣ、モニタＭＯ等からなる画像表示手段は、「撮影手段と結合しており、該撮影手段により取得された画素値を、値を変更可能な２以上のパラメータに基づいて表示値に変換し、該表示値に基づいて表示手段に画像を表示する」という点で本願発明の「画像表示装置」と差異がない。
　(c)引用例に記載された発明におけるファイルＦ１は、頭部、胸部、腹部等の診断部位に応じて設定されたウィンドウ幅ＷＷ、ウィンドゥレベルＷＬが診断部位毎に３種類（ＨＡＷＷ，ＨＡＷＬ、〜、ＡＣＷＷ，ＡＣＷＬ）格納するものであり（上記ウ参照）、各診断部位のウィンドゥ幅ＷＷ、ウィンドゥレベルＷＬ、すなわち、頭部のウィンドゥ幅ＨＡＷＷ〜ＨＣＷＷ、ウィンドゥレベルＨＡＷＬ〜ＨＣＷＬ、胸部のウィンドゥ幅ＢＡＷＷ〜ＢＣＷＷ、ウィンドゥレベルＢＡＷＬ〜ＢＣＷＬ、及び腹部のウィンドゥ幅ＡＡＷＷ〜ＡＣＷＷ、ウィンドゥレベルＡＡＷＬ〜ＡＣＷＬは、診断部位毎のテーブルを構成し、また、各テーブルにおけるウィンドゥ幅ＷＷ及びウィンドゥレベルＷＬの値の異なる複数の組み合わせは、「Ａ」，「Ｂ」，「Ｃ」（タップ値）に対応させられており、その対応の内容が異なるものである（上記ウ、エ、及び図２参照）から、かかるファイルＦ１は、本願発明における、「前記２以上のパラメータの値の異なる複数の組み合わせをそれぞれタップ値に対応させた複数のタップテーブルであって、前記対応の内容がそれぞれ異なっている複数のタップテーブル」に相当する。
　(d)引用例に記載された発明は、３種類のプリセットウィンドゥに対応した点灯型スイッチＡ，Ｂ，Ｃを有したプリセットウィンドゥセレクトボタンＰＢを備え、プリセットウィンドゥセレクトボタンＰＢが操作された場合には、始めにプリセットされたプリセットウィンドゥ（たとえばプリセットウィンドゥＡ）以外のプリセットウィンドゥ（Ｂ又はＣ）を設定し、ウィンドゥ条件の任意の変更を可能とするものである（上記キ参照）から、始めにプリセットされたプリセットウィンドゥ（たとえばプリセットウィンドゥＡ）をプリセットする手段（明記はされていないが、引用例に記載された発明がこのような手段を有することは明らか）、及びプリセットウィンドウセレクトボタンＰＢは、本願発明における「タップ値の１つを選択するタップ選択手段」に相当する。
　(e)引用例に記載された発明における第１のコンピュータＣＡは、スキャン部位セレクトスイッチＳＢのスイッチ動作により頭部、胸部、腹部等のスキャン診断部位がセレクトされると、撮影された被検体部位の鮮明に表示したいプリセットウィンドゥをファイルＦ１から呼び出し、プリセットウィンドゥメモリＰＭに記憶するものであり（上記エ参照）、また、第２のコンピュータＣＡは、プリセットウィンドゥメモリＰＭからプリセットウィンドゥを呼出してウィンドゥ変換器ＷＣに与えるものであり（上記オ参照）、更に、プリセットウィンドゥセレクトボタンＰＢが操作された場合には、始めにプリセットされたプリセットウィンドゥ（たとえばプリセットウィンドゥＡ）以外のプリセットウィンドゥ（Ｂ又はＣ）を設定することができるものである（上記キ参照）から、かかる第１のコンピュータＣＡ、及び第２のコンピュータＣＢは、タップテーブルの１つを「撮影条件に応じて選択する」点は別として、所定の条件に応じて選択された前記タップテーブルの１つに含まれたタップ値であって、前記タップ選択手段により選択された前記タップ値に応じて前記２以上のパラメータの値を設定するパラメータ設定手段である点で、本願発明の「パラメータ設定手段」と一致する。
　したがって、両者は、
「撮影手段と結合しており、該撮影手段により取得された画素値を、値を変更可能な２以上のパラメータに基づいて表示値に変換し、該表示値に基づいて表示手段に画像を表示する画像表示装置であって、前記２以上のパラメータの値の異なる複数の組み合わせをそれぞれタップ値に対応させた複数のタップテーブルであって、前記対応の内容がそれぞれ異なっている複数のタップテーブルと、タップ値の１つを選択するタップ選択手段と、所定の条件に応じて選択された前記タップテーブルの１つに含まれたタップ値であって、前記タップ選択手段により選択された前記タップ値に応じて前記２以上のパラメータの値を設定するパラメータ設定手段とを具備したことを特徴とする画像表示装置」である点で一致し、
　複数のタップテーブルの１つを選択するための所定の条件が、本願発明は、「撮影手段の撮影条件」であるのに対し、引用例に記載された発明は、スキャン部位セレクトスイッチでセレクトされた診断部位である点で相違する。
４.当審の判断
　引用例に記載された発明は、複数のタップテーブルの１つを選択するための所定の条件を、スキャン部位セレクトスイッチでセレクトされた診断部位としているが、一般に、画像診断装置において撮影手段を用い被検体のＸ線透視像を得る際には、各診断部位毎に撮影条件（管電圧、管電流、照射時間等）が設定され、該撮影条件は被検体の個人差はあるものの診断部位に応じて定まり、両者は密接に関係することが明らかであり、また、撮影条件に応じてウィンドゥ幅及びウィンドゥレベル（パラメータの値）を設定する技術が当業者に周知である（必要であれば、特開平４−３３２５３９号公報参照）から、これらのことを考慮すると、複数のタップテーブルの１つを選択するための所定の条件を、スキャン部位セレクトスイッチでセレクトされた診断部位とすることに代え、診断部位と密接に関係する「撮影手段の撮影条件」とすることは、当業者が格別の創意工夫を要することなく想到し得ることである。
　そして、本願発明の構成によりもたらされる効果も引用例から当業者が容易に予測し得る程度のものであり、格別のものではない。
５.むすび
　以上のとおりであるから、本願発明は、引用例に記載された発明に基いて当業者が容易に発明をすることができたものと認められるので、特許法第２９条第２項の規定により、特許を受けることができない。
　よって、結論のとおり審決する。